(57)【要約】【課題】  ファイナライズ済のメディアを容易にフォーマットする。【解決手段】  フォーマットしようとするメディアがファイナライズされているか否かを判断し、されていない場合にはそのままフォーマットし、されている場合にはフォーマットを継続するコマンドに基づいて、連続して自動的に、アンファイナライズ及びフォーマットを実行する。【選択図】  図１
2005276270.tif 000002
【特許請求の範囲】
【請求項１】
フォーマットしようとするメディアがファイナライズされているか否かを判断する判断手段と、
ファイナライズされていないと判断されたときには前記メディアをフォーマットするフォーマット手段と、
ファイナライズされていると判断されたときには、フォーマットを継続する旨のコマンドの入力によりアンファイナライズするアンファイナライズ手段と、
を備え、
さらに、前記フォーマット手段は、前記アンファィナライズ手段によるアンファイナライズ済の前記メディアを連続して自動的にフォーマットするように構成されている、
ことを特徴とする、記録装置。
【請求項２】
前記メディアが前記判断手段によってファイナライズされていると判断されたときに、その旨を表示させるためのデータを出力するデータ出力手段をさらに備えることを特徴とする、請求項１に記載の表示装置。
【請求項３】
フォーマットしようとするメディアがファイナライズされているか否かを判断し、
されていない場合にはそのままフォーマットし、
されている場合にはフォーマットを継続するコマンドの入力に基づいて、連続して自動的に、アンファイナライズ及びフォーマットを実行するようにした、
ことを特徴とする、フォーマット方法。
【請求項４】
前記メディアがファイナライズ済の場合には、そのメディアがファイナライズ済であることを表示装置に表示させるためのデータを出力するようにしたことを特徴とする、請求項３に記載のフォーマット方法。
【発明の詳細な説明】
【技術分野】
【０００１】
本発明は、記録装置及びフォーマット方法に関するものである。
【背景技術】
【０００２】
書き換え可能なメディアとして、例えば、ＤＶＤ−ＲＷあるいはＣＤ-ＲＷ等がある。これらのメディアにおいては、例えばＤＶＤ−ＲＷをビデオモードであるいはＶＲモードで一旦書き込んだ後にあっても、ビデオモードあるいはＶＲモードでフォーマット（初期化）を行うことにより、再びそれぞれのモードで書き込みが可能となる。しかしながら、記録済のメディアを他のプレーヤやドライブで認識できるようにするためにファイナライズ（セッションクローズ）したものにあっては、アンファイナライズつまりファイナライズの解除した後でないと、フォーマットすることはできない。これを、図６を参照して詳しく説明する。図６は、図７−図１３との関係で、一例として、ビデオモードで書き込みした後にファイナライズしたメディアをフォーマットする場合を想定したフローチャートである。例えば、ＤＶＤレコーダをＴＶモニタに接続した使用状態を考える。ＤＶＤレコーダにフォーマットしようとする例えばＤＶＤ−ＲＷを挿入したとする。ここで、フォーマットする旨のコマンドが入力されると（スタート）、そのメディアがファイナライズされているかどうかが判断される（Ｓ１）。ファイナライズされていない場合には（ＮＯ）、そのままフォーマットが行われる（Ｓ７）。ファイナライズ済のメディアの場合には、ＴＶモニタに、このメディアがファイナライズ済である旨が表示される（Ｓ２）。ここで、フォーマットを継続する旨のコマンドが入力されるか否かで動作が異なる（Ｓ３）。入力されないと（Ｓ３のＮＯ）、メディアはフォーマットされないまま終了する（エンド）。入力されると（Ｓ３のＹＥＳ）、アンファイナライズするか否かが判断される（Ｓ４）。アンファイナライズの処理コマンドが入力されないときは（Ｓ４のＮＯ）、フォーマットされずに終了する。アンファイナライズの処理コマンドが入力される（Ｓ４のＹＥＳ）と、アンファイナライズが実行される（Ｓ５）。この後は、フォーマットを実行するか否かが判断される（Ｓ６）。フォーマットにより必要なデータが消去されるのを防ぐためである。フォーマットの処理コマンドの入力がないと（Ｓ６のＮＯ）、そのまま終了する。入力があると（Ｓ６のＹＥＳ）、フォーマットが行われ（Ｓ７）て、終了となる。
【０００３】
以上の動作は、図７−図１３に、対話形式としてＴＶモータに示される。即ち、ＤＶＤレコーダにメディアを挿入し、メニュー画面を開く（図７）。ここで、ディスクメンティナンスを選択すると、メンティナンス画面となる（図８）。ここで、例えば、ＤＶＤビデオフォーマットを選択すると、ディスクがファイナライズされているかどうか判断される。ファイナライズされていると、この旨が表示され、アンファイナライズするか否かの質問画面となる（図９）。ここで、イエスを選択すると、再びディスクメンティナンス画面となる（図１０）。ここで、アンファイナライズを選択すると、アンファイナライズが行われ、その旨が表示される（図１１）。ここで、フォーマット動作を継続する旨を選択すると、三たびディスクメンティナンス画面となる（図１２）。ここで、ＤＶＤビデオフォーマットを選択すると、そのフォーマットが行われ、その旨が表示される（図１３）。
【０００４】
なお、書き換え可能なメディアに追記作業を容易に行うようにしたものも知られている（特許文献１参照）。
【特許文献１】特開２００３−８５９４４号公報
【発明の開示】
【発明が解決しようとする課題】
【０００５】
このように、従来は、例えばＤＶＤ−ＲＷメディアをビデオモードであるいはＶＲモードで記録した後にファイナライズしたメディアをビデオモードであるいはＶＲモードでフォーマットしようとすると、フォーマットを継続する旨のコマンド、アンファイナライズする旨のコマンド及びフォーマットする旨のコマンドを順次加えなければならなかった。このため、フォーマットの実行まで非常に煩雑な操作が必要であった。
【０００６】
本発明は、上記に鑑みてなされたもので、その目的は、ファイナライズ済のメディアであっても簡単な操作でフォーマット可能とすることにある。
【課題を解決するための手段】
【０００７】
本発明は、フォーマットしようとするメディアがファイナライズされているか否かを判断する判断手段と、
ファイナライズされていないと判断されたときには前記メディアをフォーマットするフォーマット手段と、
ファイナライズされていると判断されたときには、フォーマットを継続する旨のコマンドの入力によりアンファイナライズするアンファイナライズ手段と、
を備え、
さらに、前記フォーマット手段は、前記アンファィナライズ手段によるアンファイナライズ済の前記メディアを連続して自動的にフォーマットするように構成されている、ものとして構成される。
【０００８】
本発明は、フォーマットしようとするメディアがファイナライズされているか否かを判断し、
されていない場合にはそのままフォーマットし、
されている場合にはフォーマットを継続するコマンドに入力に基づいて、連続して自動的に、アンファイナライズ及びフォーマットを実行するようにした、ものとして構成される。
【発明の効果】
【０００９】
本発明によれば、フォーマットしようとするメディアがたとえファイナライズ済のものであっても、極めて簡単な操作で、そのファイナライズを解除してフォーマットを実行させることができる。
【発明を実施するための最良の形態】
【００１０】
図１は本発明の実施例の動作フローチャートである。この図１は、図２−図５との関係で、例えば、書き換え可能なＤＶＤ−ＲＷ等のＤＶＤメディアのビデオモードでのフォーマットを行う場合を示している。ＤＶＤレコーダをＴＶモニタに接続した使用状態を想定する。このＤＶＤレコーダにビデオモードで記録したメディアを挿入する。この状態でフォーマットの処理コマンドを入力すると、このメディアがファィナライズされているか否かが判断手段によって判断される（Ｓ１１）。ファイナライズされていない場合（ＮＯ）は、そのままフォーマット手段によってフォーマットが行われる（Ｓ１５）。ファイナライズされている場合（ＹＥＳ）には、その旨がＴＶモニタに表示さる（Ｓ１２）。つまり、データ出力手段から、表示用のデータが出力され、モニタに表示される。そして、フォーマットを継続するか否かが判断手段で判断される（Ｓ１３）。継続しない旨のコマンドを入力すれば（ＮＯ）、動作はそのまま終了する。継続する旨のコマンドを入力すると（ＹＥＳ）、連続して自動的に、アンファイナライズ手段によってアンファィナライズ（Ｓ１４）され、フォーマット手段でフォーマット（Ｓ１５）が実行された後に終了する（エンド）。
【００１１】
以上の動作は、図２−図５に対話形式としてＴＶモニタに示される。即ち、ＤＶＤレコーダにビデオモードで記録したメディアを挿入し、メニュー画面を開く（図２）。ここで、ディスクメンティナンスを選択すると、ディスクメンティナンス画面となる（図３）。ここで、ＤＶＤビデオフォーマットを選択すると、このメディアがファィナライズ済であることが示され、及び、アンファイナライズを続行するか否かを質問する質問画面となる（図４）。ここで、続行する旨のコマンドを入力すれば、連続して自動的に、アンファイナライズとフォーマットが行われる。そして、モニタ画面に、フォーマットが終了した旨の表示がされる（図５）。なお、図５中の“ＮＥＸＴ”のクリックにより、メニュー画面解除が行われる。
【００１２】
このように、図１及び図２−図５を参照しつつ説明したところからわかるように、フォーマットしようとするＤＶＤメディアがたとえファイナライズ済のものであっても、フォーマットを継続する旨のコマンドを入力するだけで、連続して自動的に、アンファイナライズした後にフォーマットが実行される。
【００１３】
また、ＶＲモードで記録、ファィナライズされたＤＶＤ−ＲＷメディアをＶＲモードでフォーマットする場合も、上記と同様である。
【００１４】
以上の説明においては、ＤＶＤレコーダによりファイナライズされたＤＶＤ−ＲＷを再びフォーマットする場合について説明したが、書き換え可能なメディアであって、書き込み後にファイナライズやそれと同等のセッションクローズ等の処理をされたメディアをファイナライズ等の後にフォーマットする他の記録装置、記録メディアに適用可能なのはいうまでもない。
【図面の簡単な説明】
【００１５】
【図１】本発明の装置の実施例の動作フローチャート。
【図２】図１の装置のＴＶモニタに表わされる一メニュー画面。
【図３】図１の装置のＴＶモニタに表わされる一メニュー画面。
【図４】図１の装置のＴＶモニタに表わされる一メニュー画面。
【図５】図１の装置のＴＶモニタにわ表される一メニュー画面。
【図６】従来装置の動作フローチャート。
【図７】図６の装置のＴＶモニタに表わされる一メニュー画面。
【図８】図６の装置のＴＶモニタに表わされる一メニュー画面。
【図９】図６の装置のＴＶモニタに表わされる一メニュー画面。
【図１０】図６の装置のＴＶモニタに表わされる一メニュー画面。
【図１１】図６の装置のＴＶモニタに表わされる一メニュー画面。
【図１２】図６の装置のＴＶモニタに表わされる一メニュー画面。
【図１３】図６の装置のＴＶモニタに表わされる一メニュー画面。
【図１】
2005276270.tif 000003
【図２】
2005276270.tif 000004
【図３】
2005276270.tif 000005
【図４】
2005276270.tif 000006
【図５】
2005276270.tif 000007
【図６】
2005276270.tif 000008
【図７】
2005276270.tif 000009
【図８】
2005276270.tif 000010
【図９】
2005276270.tif 000011
【図１０】
2005276270.tif 000012
【図１１】
2005276270.tif 000013
【図１２】
2005276270.tif 000014
【図１３】
2005276270.tif 000015